【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
医療処置の間における手術器具の安全な取扱いおよび交換のための容器であって、
該容器は長手軸を規定する長寸本体を有すると共に、
前記容器は、
第１側壁部と、第２側壁部と、第１端壁部と、第２端壁部と、底壁部と、該底壁部とは反対側の頂縁部と、を備え、
前記頂縁部は前記容器内への頂部開口を規定する周縁部を形成し、
前記第１および第２側壁部、第１および第２の端壁部、および底壁部は、共同で前記頂部開口を通して少なくとも一つの手術器具を受容すべく構成された受取部を規定し、
前記受取部は、
第１の手術器具を部分的遮蔽位置に保管する第１長手方向凹所であって、該第１長手方向凹所は、
対置された一対の側部表面と底部表面とを備える第１指用凹所であって、各側部表
面は相互から離間されて拡大した第１幅を規定するという第１指用凹所と、
前記第１指用凹所の一部と交差する第１器具用スロットであって、前記第１指用凹
所の前記底部表面の上方に配置された第１支持表面を備えるという第１器具用スロッ
トと、
前記第１器具用スロットの少なくとも一部分を囲繞する第１保護ガードであって、
前記第１指用凹所の前記第１幅よりも小さい減少した第２幅を規定し、前記第１の手
術器具が前記第１器具用スロット内に置かれたときに前記第１の手術器具の一つ以上
の区画をユーザの指から遮蔽すべく構成される第１保護ガードと、
を有する第１長手方向凹所と、
第２の手術器具を、前記第１長手方向凹所の上方における前記受取部内の部分的遮蔽位置に保管する第２長手方向凹所であって、該第２長手方向凹所は、
対置された一対の側部表面と、底部表面とを備える第２指用凹所と、
前記第１指用凹所の一部と交差する第２器具用スロットであって、前記第２指用凹
所の前記底部表面の上方に配置された支持表面を備える第２器具用スロットと、
前記第２器具用スロットの少なくとも一部分を囲繞する第２保護ガードであって、
該第２保護ガードは、第２の手術器具が前記第２器具用スロット内に置かれたときに
前記第２の手術器具の一つ以上の区画をユーザの指から遮蔽すべく構成された保護凹
所を規定する第２保護ガードと、
を有する第２長手方向凹所と、
を備える容器。
【請求項２】
前記第１保護ガードは前記第１器具用スロットに沿って延在する一対の長手方向のスロット壁部を備え、
各スロット壁部は、前記第１器具用スロットの両側に夫々配置されると共に、各スロット壁部は、前記第１器具用スロット内に少なくとも一つの狭窄区画を形成し、ユーザの指が少なくとも一つの狭窄区画内に入ることを実質的に阻止する請求項１に記載の手術器具の安全な取扱いおよび交換のための容器。
【請求項３】
前記少なくとも一つの狭窄区画は、前記第１指用凹所の第１端部に配置された第１狭窄区画と、前記第１指用凹所の前記第１端部とは逆側である前記第１指用凹所の第２端部における第２狭窄区画とを備える請求項２に記載の手術器具の安全な取扱いおよび交換のための容器。
【請求項４】
前記第１狭窄区画および前記第２狭窄区画の少なくとも一方は、前記第２器具用スロットの前記支持表面の下方で凹状に形成される請求項３に記載の手術器具の安全な取扱いおよび交換のための容器。
【請求項５】
前記第２保護ガードは、前記容器の前記長手軸に対して平行である長さ寸法と、前記容器の前記長手軸に対して直交すると共に前記長さ寸法よりも大きい幅寸法と、を有する少なくとも一つのポケットを備える請求項３に記載の手術器具の安全な取扱いおよび交換のための容器。
【請求項６】
前記容器は、該容器の前記第１側壁部および第２側壁部に対して平行であり、且つそれらから等距離である中央平面を更に規定し、
前記中央平面は前記容器の前記底壁部に対して概略的に直交し、
前記第１長手方向凹所および前記第２長手方向凹所は各々、前記中央平面に関して対称的である幾何学形状を有する請求項１に記載の手術器具の安全な取扱いおよび交換のための容器。
【請求項７】
前記容器は前記受取部に対して取付けられて該受取部の前記底壁部の下方に囲繞体を形成する基礎部分を更に備え、前記囲繞体は医療処置の後における手術器具および各構成要素を確実に保管かつ廃棄すべく構成される請求項１に記載の手術器具の安全な取扱いおよび交換のための容器。
【請求項８】
前記基礎部分は、
鋭利物を受容すべく構成された少なくとも一つの要素と、
金属刃を引き付けて付着すべく構成された少なくとも一つの磁気パッドと、
外科用メスの取手から外科用メス刃を取り外すと共に該外科用メス刃を囲繞領域内に保持すべく構成された少なくとも一つの外科用メス刃受取部と、
一つ以上の手術器具を受容すべく構成された少なくとも一つの切欠きポケットと、
の内の少なくとも一つを含みまたは規定する内側部分を備える請求項７に記載の手術器具の安全な取扱いおよび交換のための容器。
【請求項９】
前記受取部は第１固定要素を備え、
前記基礎部分は、前記第１固定要素に係合して該基礎部分を前記受取部に対して固定し、且つ前記基礎部分の内側部分を完全に囲繞すべく構成された第２固定要素を備える請求項７に記載の手術器具の安全な取扱いおよび交換のための容器。
【請求項１０】
前記基礎部分は、該基礎部分の周縁部の回りに前記受取部を前記基礎部分上に支持するための棚部を規定する請求項７に記載の手術器具の安全な取扱いおよび交換のための容器。
【請求項１１】
前記棚部は前記基礎部分の２つの側面に沿って延在する長手方向軌道を備え、前記受取部は前記長手方向軌道を介して前記棚部上に摺動的に受容される、請求項１０に記載の手術器具の安全な取扱いおよび交換のための容器。
【請求項１２】
前記受取部は、前記基礎部分の軌道に沿い、第１固定要素が第２固定要素から係合解除されることで前記受取部が前記基礎部分から離間揚動されることを許容する解除位置と、前記第１固定要素が前記第２固定要素に係合されることで前記受取部が前記基礎部分から離間揚動されることを阻止する固定位置と、の間で摺動可能である請求項１１に記載の手術器具の安全な取扱いおよび交換のための容器。
【請求項１３】
前記基礎部分は、本体部分と、該本体部分から外方に延在する取手部分とを備え、
該取手部分は、ユーザにより把持されることで、前記基礎部分に対して前記受取部を取付けてまたは取付けずに前記基礎部分を手動的に支持すべく構成される請求項７に記載の手術器具の安全な取扱いおよび交換のための容器。
【請求項１４】
前記少なくとも一つのポケットは列を成して配置された複数の狭幅区画（４０）を備え、個々の狭幅区画（４０）は縫合針を部分的に囲繞する側壁部（４１）により囲繞され、個々の狭幅区画（４０）は、容器（５）の長手軸（１０５）に対して平行な長さ寸法と、該長さ寸法よりも大きい幅寸法とを有し、前記縫合針を保持する縫合針ホルダは、前記第２手術器具用スロット内に置かれたときに、前記縫合針は、前記狭幅区画（４０）の内の一つ内に受容され、前記縫合針をユーザの指から遮蔽するために前記側壁部によって囲繞される、請求項５記載の手術器具の安全な取扱いおよび交換のための容器。
【請求項１５】
長手方向中央線（３３）と、該長手方向中央線（３３）に関して横方向に配置された一連の底壁部（１５）とを規定し、該一連の底壁部の各々は前記容器の前記頂縁部から所定の距離離間し、該距離は、前記底壁部（１５）が前記長手方向中央線（３３）から外方に進展するにつれて減少し、前記底壁部（１５）は、前記第２の手術器具の取っ手を支持するために、前記長手方向中央線（３３）に対して横方向かつ各側にて、一連の段部を有する段部構成を形成する、請求項１記載の手術器具の安全な取扱いおよび交換のための容器。